(57)【要約】  本発明は、液晶表示パネル及びそのＥＯＡモジュール（１０'）に関する。ＥＯＡモジュール（１０'）は、ハイレベル生成ユニット（１１）と、リセットユニット（１２）と、回復ユニット（１３）と、を備える。ハイレベル生成ユニット（１１）は出力信号を生成するために用いられ、且つ出力信号は第一グループクロック信号（ＣＬＫ）の有効レベル期間はハイレベル信号である。リセットユニット（１２）は、現在の走査信号（Ｇｎ）及び第二グループクロック信号（ＣＬＫＢ）が両方とも有効レベル期間であるとき、出力信号をハイレベル信号からローレベル信号にリセットするために用いられる。回復ユニット（１３）は、後段の走査信号（Ｇｎ＋１）の有効レベル期間で、出力信号をローレベル信号からハイレベル信号に回復するために用いられる。【選択図】図４
2021504757.tif 000002
【特許請求の範囲】
【請求項１】
ＥＯＡモジュールであって、
ハイレベル生成ユニットと、リセットユニットと、回復ユニットと、を備え、
前記ハイレベル生成ユニットは、第一グループクロック信号に基づいて出力信号を生成するために用いられ、且つ前記出力信号は前記第一グループクロック信号の有効レベル期間はハイレベル信号であり、
前記リセットユニットは、現在の走査信号及び第二グループクロック信号に基づいて、前記現在の走査信号及び前記第二グループクロック信号が両方とも有効レベル期間であるとき、前記出力信号をハイレベル信号からローレベル信号にリセットするために用いられ、前記第二グループクロック信号の周波数は前記第一グループクロック信号の周波数の２倍であり、
前記回復ユニットは、後段の走査信号に基づいて、前記後段の走査信号の有効レベル期間で、前記出力信号をローレベル信号からハイレベル信号に回復するために用いられる、
ことを特徴とするＥＯＡモジュール。
【請求項２】
前記ハイレベル生成ユニットは、Ｎ型の第一ＴＦＴ（Ｔ１１）、第二ＴＦＴ（Ｔ１２）及びキャパシタ（Ｃ）を備え、
前記第一ＴＦＴ（Ｔ１１）のゲート及びドレインは、第一グループクロック信号に共に接続され、前記第一ＴＦＴ（Ｔ１１）のソースは前記第二ＴＦＴ（Ｔ１２）のゲートに接続され、前記第二ＴＦＴ（Ｔ１２）のドレインはハイレベル信号に接続され、前記第二ＴＦＴ（Ｔ１２）のソースは前記ＥＯＡモジュールの出力端であり、前記キャパシタは前記第二ＴＦＴ（Ｔ１２）のゲートとソースとの間に接続される、
ことを特徴とする請求項１に記載のＥＯＡモジュール。
【請求項３】
前記ハイレベル生成ユニットは、Ｎ型の第三ＴＦＴ（Ｔ１３）をさらに備え、
前記第三ＴＦＴ（Ｔ１３）のドレインはハイレベル信号に接続され、前記第三ＴＦＴ（Ｔ１３）のゲートは前記第二ＴＦＴ（Ｔ１２）のソースに接続され、前記第三ＴＦＴ（Ｔ１３）のソースは前記第二ＴＦＴ（Ｔ１２）のゲートに接続される、
ことを特徴とする請求項２に記載のＥＯＡモジュール。
【請求項４】
前記リセットユニットは、Ｎ型の第四ＴＦＴ（Ｔ１４）、第五ＴＦＴ（Ｔ１５）及び第六ＴＦＴ（Ｔ１６）を備え、
前記第四ＴＦＴ（Ｔ１４）のゲートに現在の走査信号が入力され、前記第四ＴＦＴ（Ｔ１４）のドレインに第二グループクロック信号が入力され、前記第四ＴＦＴ（Ｔ１４）のソースは別々に前記第五ＴＦＴ（Ｔ１５）のゲート及び前記第六ＴＦＴ（Ｔ１６）のゲートに接続され、前記第五ＴＦＴ（Ｔ１５）のソース及び前記第六ＴＦＴ（Ｔ１６）のソースは別々にローレベル信号に接続され、前記第五ＴＦＴ（Ｔ１５）のドレインは前記第二ＴＦＴ（Ｔ１２）のソースに接続され、前記第六ＴＦＴ（Ｔ１６）のドレインは前記第一ＴＦＴ（Ｔ１１）のソースに接続される、
ことを特徴とする請求項３に記載のＥＯＡモジュール。
【請求項５】
前記回復ユニットはＮ型の第七ＴＦＴ（Ｔ１７）を備え、前記第七ＴＦＴ（Ｔ１７）のゲートは後段の走査信号に接続され、前記第七ＴＦＴ（Ｔ１７）のドレインは前記第四ＴＦＴ（Ｔ１４）のソースに接続され、前記第七ＴＦＴ（Ｔ１７）のソースはローレベル信号に接続される、
ことを特徴とする請求項４に記載のＥＯＡモジュール。
【請求項６】
第一グループクロック信号がハイレベルである場合、前記第一ＴＦＴ（Ｔ１１）、前記第二ＴＦＴ（Ｔ１２）及び前記第三ＴＦＴ（Ｔ１３）はオンになる、
ことを特徴とする請求項５に記載のＥＯＡモジュール。
【請求項７】
第二グループクロック信号がハイレベルである場合、前記第四ＴＦＴ（Ｔ１４）、前記第五ＴＦＴ（Ｔ１５）及び前記第六ＴＦＴ（Ｔ１６）はオンになる、
ことを特徴とする請求項６に記載のＥＯＡモジュール。
【請求項８】
前記第六ＴＦＴ（Ｔ１６）がオンになると、前記第二ＴＦＴ（Ｔ１２）はオフになる、
ことを特徴とする請求項７に記載のＥＯＡモジュール。
【請求項９】
境界領域に設置されたＥＯＡモジュールを備え、前記ＥＯＡモジュールは請求項１〜８のいずれか一項に記載のＥＯＡモジュールである、
ことを特徴とする液晶表示パネル。
【請求項１０】
前記液晶表示パネルにはＧＯＡモジュールが設置されており、前記ＥＯＡモジュールと前記ＧＯＡモジュールは電気的に接続されており、両方とも前記液晶表示パネルの境界領域に設置される、
ことを特徴とする請求項９に記載の液晶表示パネル。
【発明の詳細な説明】
【技術分野】
【０００１】
本発明は、液晶表示分野に関するものであり、特に液晶表示パネル及びそのＥＯＡモジュールに関するものである。
【背景技術】
【０００２】
薄膜トランジスタ液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ，ＴＦＴ−ＬＣＤ）は、軽量、薄型、低消費電力などの利点を有するので、テレビ、ノートパソコン、携帯電話などの装置に広く使用されている。
【０００３】
有機発光ダイオード（Ｏｒｇａｎｉｃ  Ｌｉｇｈｔ-Ｅｍｉｔｔｉｎｇ  Ｄｉｏｄｅ，ＯＬＥＤ）は、電流型の発光デバイスとして、自己発光、高速応答、広視野角、フレキシブル基板上に製造されることなどの利点を有するので、高性能表示分野に広く使用されている。ただし、製造プロセスに制限されて、ＯＬＥＤ画素の各駆動トランジスタにターンオン電圧、移動度（ｍｏｂｉｌｉｔｙ）などの電気的パラメータの変動がしばしば発生するので、ＯＬＥＤデバイスに流れる電流は駆動トランジスタのターンオン電圧、移動度の変動に随って変動し、従ってＯＬＥＤ画素の輝度の不均一を引き起こし、表示品質に影響を与える。
【０００４】
さらに安定的であり、高品質であり、鮮明な表示効果を実現するために、通常、ＯＬＥＤ画素ユニットに対して内部補償を行う。例えば、図１Ａに示された内部補償を有するＯＬＥＤ画素ユニットにおいて、ＯＬＥＤを駆動するとき、４つの段階（リセット（Ｒｅｓｅｔ）段階、補償（Ｃｏｍｐｅｎｓａｔｉｏｎ）段階、データ入力（Ｄａｔａ  ｉｎ）段階、発光（Ｅｍｉｓｓｉｏｎ）段階）がある。図１Ｂに示されたように、リセット段階では、ＲＳＴ信号はハイレベルであり、ＴＦＴＴ４がオンになり、Ｖｉｎｉｔｉａｌ信号はローレベルであるので、ＯＬＥＤに電流信号が流れない。補償段階では、ＴＦＴＴ１、Ｔ３がオンになり、Ｖｒｅｆ信号はローレベルであるので、ＯＬＥＤに電流信号が流れない。データ入力段階では、ＴＦＴＴ１がオンになり、且つＶｄａｔａ信号はハイレベルであり、キャパシタＣ１を充電し始め、ＯＬＥＤに依然として電流信号が流れない。発光段階では、ＴＦＴＴ３、Ｔ２がオンになり（キャパシタＣ１が満充電されている）、ＯＬＥＤに電流信号が流れ始め、それによって発光し始まる。ＯＬＥＤ画素ユニットにおいて、ＴＦＴＴ３を駆動する発光信号Ｅｎはディスプレイパネル発光ドライブ（ＥｍｉｓｓｉｏｎＤ-ＩＣ  Ｏｎ  Ａｒｒａｙ，ＥＯＡ）モジュールによって提供され、ただデータ入力段階はローレベルであり、他の段階はすべてハイレベルである。即ち、データ入力段階では、ＥＯＡモジュールがオフになり、駆動ＩＣから出力されるデータ信号はＴＦＴＴ１を介してキャパシタＣ１に入って、データ信号の入力を完成する。データ信号の役割は、画素の輝度を制御することである。さらに、ＴＦＴＴ１を駆動する走査信号Ｇｎは、ディスプレイパネルスキャンドライブ（Ｇａｔｅ  Ｄ-ＩＣ  Ｏｎ  Ａｒｒａｙ，ＧＯＡ）モジュールによって提供される。
【０００５】
図２Ａ及び図２Ｂに示された従来技術のＥＯＡモジュールの回路図を参照すると、ＥＯＡモジュールは、ハイレベル生成ユニットとリセットユニットの２つの部分から構成される。その中において、スタートパルス信号（ＳＴＶ）と第二クロック信号（ＧＣＬＫ）の両方がハイレベルである場合、リセットユニットの出力端から出力される信号（Ｒｏｕｔ  ｎ）はハイレベルであり、且つ次段の出力信号はローレベルに戻る。第一クロック信号（ＥＣＬＫ  ｎ）はハイレベルであり、且つリセットユニットの出力信号（Ｒｏｕｔ  ｎ）はローレベルである場合、ハイレベル生成ユニットは、ＥＯＡモジュールの出力端から出力される信号（ＥＭＳ-ｏｕｔ  ｎ、略してＥｎ）をハイレベルになるようにする。リセットユニットの出力信号（Ｒｏｕｔ  ｎ）がハイレベルである場合、ＥＯＡモジュールの出力端から出力される信号をハイレベルからローレベルにリセットする。従って、ＥＯＡモジュールは、ただデータ入力段階でローレベル信号を出力し、他の３つの段階ではハイレベル信号を出力する。
【０００６】
ただし、上述したＥＯＡモジュールを構築する場合、ＳＴＶ信号を導入することを必要とする。ＳＴＶ信号はドライバＩＣによって提供されるので、ドライバＩＣの負担を増加する。また、ドライバＩＣが搭載されたドライバ基板とＥＯＡモジュールが搭載された液晶表示基板と間の距離がより長いので、ＳＴＶ信号の伝送線路をより長く設置する必要があり、減衰量が大きいので、ＳＴＶ信号にジッタが発生し、ＥＯＡモジュールの出力信号に影響を与える。
【０００７】
また、液晶表示パネルをレイアウトする場合、図３を参照すると、ＥＯＡモジュール１０とＧＯＡモジュール２０は、それぞれ液晶表示基板の境界領域に設置され、液晶表示基板の中央部は表示領域（ＯＬＥＤ画素ユニット領域）である。従来のＥＯＡモジュール１０は２つの部分１０１、１０２から構成され、図２Ａ及び図２Ｂを参照すると、ＥＯＡモジュールは、より多くのデバイスを使用し、構造が複雑であるので、より多くの境界領域を占有するので、表示領域の空間は小さくなり、境界寸法はスクリーン製品の重要な指標である。
【発明の概要】
【０００８】
本発明によって解決されるべき技術的問題は、従来技術のＥＯＡモジュールがＳＴＶ信号を導入する必要があることである。
【０００９】
本発明がその技術的問題を解決するために採用する技術的解決策は、ＥＯＡモジュールを提供する。ＥＯＡモジュールは、ハイレベル生成ユニットと、リセットユニットと、回復ユニットと、を備える。ハイレベル生成ユニットは、第一グループクロック信号に基づいて出力信号を生成するために用いられ、且つ出力信号は第一グループクロック信号の有効レベル期間はハイレベル信号である。リセットユニットは、現在の走査信号及び第二グループクロック信号に基づいて、現在の走査信号及び第二グループクロック信号が両方とも有効レベル期間であるとき、出力信号をハイレベル信号からローレベル信号にリセットするために用いられ、第二グループクロック信号の周波数は第一グループクロック信号の周波数の２倍である。回復ユニットは、後段の走査信号に基づいて、後段の走査信号の有効レベル期間で、出力信号をローレベル信号からハイレベル信号に回復するために用いられる。
【００１０】
好ましくは、ハイレベル生成ユニットは、Ｎ型の第一ＴＦＴ、第二ＴＦＴ及びキャパシタを備える。第一ＴＦＴのゲート及びドレインは、第一グループクロック信号に共に接続される。第一ＴＦＴのソースは第二ＴＦＴのゲートに接続され、第二ＴＦＴのドレインはハイレベル信号に接続され、第二ＴＦＴのソースはＥＯＡモジュールの出力端であり、キャパシタは第二ＴＦＴのゲートとソースとの間に接続される。
【００１１】
好ましくは、ハイレベル生成ユニットは、Ｎ型の第三ＴＦＴ（Ｔ１３）をさらに備える。第三ＴＦＴのドレインはハイレベル信号に接続され、第三ＴＦＴのゲートは第二ＴＦＴのソースに接続され、第三ＴＦＴのソースは第二ＴＦＴのゲートに接続される。
【００１２】
好ましくは、リセットユニットは、Ｎ型の第四ＴＦＴ、第五ＴＦＴ及び第六ＴＦＴを備え、第四ＴＦＴのゲートに現在の走査信号が入力され、第四ＴＦＴのドレインに第二グループクロック信号が入力され、第四ＴＦＴのソースは別々に第五ＴＦＴのゲート及び第六ＴＦＴのゲートに接続され、第五ＴＦＴのソース及び第六ＴＦＴのソースは別々にローレベル信号に接続され、第五ＴＦＴのドレインは第二ＴＦＴのソースに接続され、第六ＴＦＴのドレインは第一ＴＦＴのソースに接続される。
【００１３】
好ましくは、回復ユニットはＮ型の第七ＴＦＴを備え、第七ＴＦＴのゲートは後段の走査信号に接続され、第七ＴＦＴのドレインは第四ＴＦＴのソースに接続され、第七ＴＦＴのソースはローレベル信号に接続される。
【００１４】
好ましくは、第一グループクロック信号がハイレベルである場合、第一ＴＦＴ、第二ＴＦＴ及び第三ＴＦＴはオンになる。
【００１５】
好ましくは、第二グループクロック信号がハイレベルである場合、第四ＴＦＴ、第五ＴＦＴ及び第六ＴＦＴはオンになる。
【００１６】
好ましくは、第六ＴＦＴがオンになると、第二ＴＦＴはオフになる。
【００１７】
本発明は、さらに液晶表示パネルを提供し、境界領域に設置されたＥＯＡモジュールを備え、ＥＯＡモジュールは上述したＥＯＡモジュールである。
【００１８】
好ましくは、液晶表示パネルにはＧＯＡモジュールが設置されており、ＥＯＡモジュールとＧＯＡモジュールは電気的に接続されており、両方とも液晶表示パネルの境界領域に設置される。
【００１９】
本発明の技術的解決策によると、ＥＯＡモジュールはＧＯＡモジュールから出力された走査信号に基づいてローレベル信号を生成するので、ドライバＩＣからＳＴＶ信号を導入することを必要としなく、ドライバＩＣの負担が軽減される。さらに、ＧＯＡモジュールとＥＯＡモジュールの両方が液晶表示パネルに設置されているので、両者の間の距離はＥＯＡモジュールとドライバＩＣとの間の距離よりもはるかに短いので、走査信号の減衰も小さく、信号ジッタによるＥＯＡモジュールの出力信号に影響を与える現象が発生しない。
【図面の簡単な説明】
【００２０】
以下、本発明の実施形態をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１Ａ】内部補償付きＯＬＥＤ画素ユニットの回路図である。
【図１Ｂ】図１Ａの各信号のタイミング図である。
【図２Ａ】従来の技術のＥＯＡモジュールの第一部分の回路図である。
【図２Ｂ】従来の技術のＥＯＡモジュールの第一部分の回路図である。
【図３】従来の技術の液晶表示パネルの構造を示す概略図である。
【図４】本発明の第一実施形態に係わるＥＯＡモジュールの回路図である。
【図５】図４の各信号のタイミング図である。
【図６】本発明の液晶表示パネルの構造を示す概略図である。
【発明を実施するための形態】
【００２１】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００２２】
図４は、本発明の第一実施形態に係わるＥＯＡモジュールの回路図である。本実施形態に係わるＥＯＡモジュールは、ハイレベル生成ユニット１１と、リセットユニット１２と、回復ユニット１３と、を備える。ハイレベル生成ユニット１１は、第一グループクロック信号（ＣＬＫ）に基づいて出力信号を生成するために用いられ、且つ出力信号は第一グループクロック信号の有効レベル期間はハイレベル信号である。リセットユニット１２は、現在の走査信号（Ｇｎ）及び第二グループクロック信号（ＣＬＫＢ）に基づいて、現在の走査信号及び第二グループクロック信号が両方とも有効レベル期間であるとき、出力信号をハイレベル信号からローレベル信号にリセットするために用いられ、その中において、第二グループクロック信号の周波数は第一グループクロック信号の周波数の２倍である。回復ユニット１３は、後段の走査信号（Ｇｎ＋１）に基づいて、後段の走査信号の有効レベル期間で、出力信号をローレベル信号からハイレベル信号に回復するために用いられる。さらに、第一グループクロック信号（ＣＬＫ）、第二グループクロック信号（ＣＬＫＢ）の両方はドライバＩＣから出力され、走査信号はＧＯＡモジュールから出力されることに留意されたい。
【００２３】
本実施形態のＥＯＡモジュールにおいて、先ず、ハイレベル生成ユニット１１は、第一グループクロック信号に基づいて出力信号を生成し、且つ出力信号は第一グループクロック信号の有効レベル（ハイレベル）期間はハイレベル信号である。次に、リセットユニット１２は、現在の走査信号及び第二グループクロック信号が両方とも有効レベル（ハイレベル）期間であるとき、出力信号をハイレベル信号からローレベル信号にリセットする。最後に、回復ユニット１３は、後段の走査信号の有効レベル（ハイレベル）期間で、出力信号をローレベル信号からハイレベル信号に回復する。従って、ＥＯＡモジュールは、ただデータ入力段階でローレベル信号を出力し、他の３つの段階ではハイレベル信号を出力する。なお、ＥＯＡモジュールはＧＯＡモジュールから出力される走査信号に基づいてローレベル信号を生成するので、ドライバＩＣからＳＴＶ信号を導入することを必要としなく、ドライバＩＣの負担が軽減される。さらに、ＧＯＡモジュールとＥＯＡモジュールの両方が液晶表示パネルに設置されているので、両者の間の距離はＥＯＡモジュールとドライバＩＣとの間の距離よりもはるかに短いので、走査信号の減衰も小さく、信号ジッタによるＥＯＡモジュールの出力信号に影響を与える現象が発生しない。
【００２４】
さらに、本実施形態において、ハイレベル生成ユニット１１は、具体的には、Ｎ型の第一ＴＦＴＴ１１、第二ＴＦＴＴ１２、第三ＴＦＴＴ１３及びキャパシタＣを備える。キャパシタＣは、ピコファラッド（ｐＦ）レベルである。第一ＴＦＴＴ１１のゲート及びドレインは、第一グループクロック信号（ＣＬＫ）に共に接続され、第一ＴＦＴＴ１１のソースは第二ＴＦＴＴ１２のゲートに接続される。第二ＴＦＴＴ１２のドレインはハイレベル信号（ＶＧＨ）に接続され、第二ＴＦＴＴ１２のソースはＥＯＡモジュールの出力端であり、即ち発光信号（ＥＭＳ）を出力し、キャパシタは第二ＴＦＴＴ１２のゲートとソースとの間に接続される。第三ＴＦＴＴ１３のドレインはハイレベル信号（ＶＧＨ）に接続され、第三ＴＦＴＴ１３のゲートは第二ＴＦＴＴ１２のソースに接続され、第三ＴＦＴＴ１３のソースは第二ＴＦＴＴ１２のゲートに接続される。また、第一グループクロック信号（ＣＬＫ）がハイレベルである場合、第一ＴＦＴＴ１１、第二ＴＦＴＴ１２及び第三ＴＦＴＴ１３は順次にオンになる。もちろん、他の実施形態では、第三ＴＦＴＴ１３を省略することができる。
【００２５】
本実施形態において、リセットユニット１２は、具体的には、Ｎ型の第四ＴＦＴＴ１４、第五ＴＦＴＴ１５及び第六ＴＦＴＴ１６を備える。第四ＴＦＴＴ１４のゲートに現在の走査信号（Ｇｎ）が入力され、第四ＴＦＴＴ１４のドレインに第二グループクロック信号（ＣＬＫＢ）が入力され、第四ＴＦＴＴ１４のソースは別々に第五ＴＦＴＴ１５のゲート及び第六ＴＦＴＴ１６のゲートに接続される。第五ＴＦＴＴ１５のソース及び第六ＴＦＴＴ１６のソースは別々にローレベル信号（ＶＧＬ）に接続され、第五ＴＦＴＴ１５のドレインは第二ＴＦＴＴ１２のソースに接続される。第六ＴＦＴＴ１６のドレインは第一ＴＦＴＴ１１のソースに接続される。第二グループクロック信号（ＣＬＫＢ）がハイレベルである場合、第四ＴＦＴＴ１４、第五ＴＦＴＴ１５及び第六ＴＦＴＴ１６はオンになる。第六ＴＦＴＴ１６がオンになると、第二ＴＦＴＴ１２はオフになる。
【００２６】
本実施形態において、回復ユニットは、具体的には、Ｎ型の第七ＴＦＴＴ１７を備える。第七ＴＦＴＴ１７のゲートは後段の走査信号（Ｇｎ＋１）に接続され、第七ＴＦＴＴ１７のドレインは第四ＴＦＴＴ１４のソースに接続され、第七ＴＦＴＴ１７のソースはローレベル信号（ＶＧＬ）に接続される。
【００２７】
以下、図５に示されたタイミング図を参照して、本実施形態に係わるＥＯＡモジュールの動作原理を説明する。ハイレベル出力モードでは、第一グループクロック信号（ＣＬＫ）がハイレベルである場合、第一ＴＦＴＴ１１がオンになるので、第二ＴＦＴＴ１２及び第三ＴＦＴＴ１３もオンになり、このとき、ＥＯＡモジュールから出力されるＥＭＳ信号はハイレベルである。次に、リセットモードに入り、初めは走査信号（Ｇｎ）はハイレベルであり、第四ＴＦＴＴ１４がオンになり、且つ第二グループクロック信号（ＣＬＫＢ）がハイレベルである場合、ＰＤノード（ｎｏｄｅ）はハイレベルに跳ね上がり、従って第五ＴＦＴＴ１５及び第六ＴＦＴＴ１６はオンになり、第五ＴＦＴＴ１５がオンになるので、ＥＯＡモジュールから出力されるＥＭＳ信号はローレベルに引き下げられ、第六ＴＦＴＴ１６はオンになるので、第二ＴＦＴＴ１２はオフになる。最後に、回復モードに入り、後段の走査信号（Ｇｎ＋１）がハイレベルである場合、第七ＴＦＴＴ１７はオンになり、従ってＰＤノード（ｎｏｄｅ）はローレベルに引き下げられ、このとき、第五ＴＦＴＴ１５はオフになり、ＥＯＡモジュールから出力されるＥＭＳ信号は再びハイレベルに回復する。
【００２８】
従来の技術のＥＯＡモジュールと比較して、本実施形態のＥＯＡモジュールが使用するＴＦＴの数量は少なく、構造もさらに簡単であるので、ＥＯＡモジュールが占有する面積はさらに小さくなり、ＥＯＡモジュールの生産プロセスの歩留まりを向上させる。
【００２９】
本発明は、さらに液晶表示パネルを提供する。液晶表示パネルは、境界領域に設置されたＥＯＡモジュール及びＧＯＡモジュールを備え、ＥＯＡモジュールとＧＯＡモジュールは電気的に接続されており、ＥＯＡモジュールの回路構造は、前述のものを参照することができ、ここでは繰り返さない。さらに、図６を参照すると、液晶表示パネルをレイアウトする場合、ＥＯＡモジュール１０'及びＧＯＡモジュール２０'は両方とも液晶表示パネルの境界領域に設置され、ＥＯＡモジュール１０'が使用するデバイスの数量が減少されたので、占有する面積も小さくなり、従来の技術に比べて、液晶表示パネルの境界サイズを小さくすることができる。
【００３０】
上述したのは本発明の好ましい実施形態に過ぎず、本発明を限定することを意図するものではない。当業者にとって、本発明は様々な修正及び変更を行うことが可能である。本発明の原理や要旨を逸脱しない範囲で、あらゆる修正、同等の置換、改良などは、本発明の特許請求の範囲に含まれる。
【図１Ａ】
2021504757.tif 000003
【図１Ｂ】
2021504757.tif 000004
【図２Ａ】
2021504757.tif 000005
【図２Ｂ】
2021504757.tif 000006
【図３】
2021504757.tif 000007
【図４】
2021504757.tif 000008
【図５】
2021504757.tif 000009
【図６】
2021504757.tif 000010
【国際調査報告】
2021504757.tif 000011
2021504757.tif 000012
2021504757.tif 000013
2021504757.tif 000014
2021504757.tif 000015